【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
遊休モードの動作のためのデータの送受 信方法であって、
移動端末が、登録解除要請（Ｄｅ−ｒｅｇｉｓｔｒａｔｉｏｎ   Ｒｅｑｕｅｓｔ：ＤＲＥＧ−ＲＥＱ）を介して、ネットワークエンティティが遊休モード維持情報を維持することを要請するメッセージを、前記ネットワークエンティティに送信する段階と、
登録解除命令（Ｄｅ−ｒｅｇｉｓｔｒａｔｉｏｎ   Ｃｏｍｍａｎｄ：ＤＲＥＧ−ＣＭＤ）を介して、選択された遊休モード維持情報を前記ネットワークエンティティから受信する段階と、
前記移動端末が遊休モードに進入する段階と、
を含む、遊休モードの動作のためのデータの送受信方法。
【請求項２】
前記ネットワークエンティティが維持する情報に基づいてネット ワーク再進入を行う段階をさらに含み、
前記ネットワークエンティティが維持する情報は、前記遊休モー ド維持情報が指し示す情報を含む、請求項１記載の遊休モードの動作のためのデータの送受信方法。
【請求項３】
前記遊休モード維持情報によって維持された前記移動端末に関す る情報は、
端末の能力に関する情報、認証情報、 ＩＰアドレス情報を含むネットワークアドレスに関する情報、及びネットワークサービスに必要な情報を含むことを特徴とする、請求項１に記載の遊休モードの動作のためのデータの送受信方法。
【請求項４】
前記遊休モード維持情報の０番目のビット（Ｂｉｔ＃  ０）は、 前記端末の基本的システム能力に関する情報の維持を要請するか否かを表示し、
前記遊休モード維持情報の１番目のビット（Ｂｉｔ  ＃１）は、 認証情報の維持を要請するか否かを表示し、
前記遊休モード維持情報の２番目のビット（Ｂｉｔ  ＃２）は、 前記端末の登録時に要請される能力に関する情報の維持を要請するか否かを表示し、
前記遊休モード維持情報の３番目のビット（Ｂｉｔ  ＃３）は、 ネットワークアドレスに関する情報の維持を要請するか否かを表示すること
を特徴とする、請求項１に記載の遊休モードの動作のためのデータ の送受信方法。
【請求項５】
前記０番目のビットは、基本性能要請／応答（ＳＢＣ− ＲＥＱ／ＲＳＰ）メッセージに関する情報の維持を要請するか否かを表示し、
前記１番目のビットは、個人キー管理要請／応答（ＰＫＭ− ＲＥＱ／ＲＳＰ）メッセージに関する情報の維持を要請するか否かを表示し、
前記２番目のビットは、登録要請／応答（ＲＥＧ− ＲＥＱ／ＲＳＰ）メッセージに関する情報の維持を要請するか否かを表示すること
を特徴とする、請求項４に記載の遊休モードの動作のためのデータ の送受信方法。
【請求項６】
前記遊休モード維持情報は、ネットワークサービスに必要な情報 の維持を要請するか否かを表示する一つのビットを含むことを特徴とする、請求項１に記載の遊休モードの動作のためのデータの送受信方法。
【請求項７】
前記ネットワークエンティティは、前記移動端末が遊休モードに 進入するために探索する基地局であることを特徴とする、請求項１に記載の遊休モードの動作のためのデータの送受信方法。
【請求項８】
前記ネットワークエンティティは、サービング基地局であること を特徴とする、請求項１に記載の遊休モードの動作のためのデータの送受信方法。
【請求項９】
前記サービング基地局は、前記選択された遊休モード維持情報を ページンググループに属した少なくとも一つの基地局またはページング制御器に送信することを特徴とする、請求項８に記載の遊休モードの動作のためのデータの送受信方法。
【請求項１０】
前記ネットワークエンティティは、ページング制御器 であることを特徴とする、請求項１に記載の遊休モードの動作のためのデータの送受信方法。
【請求項１１】
前記ページング制御器は、特定のページンググループ内にある少 なくとも一つのネットワークエンティティに、前記選択された遊休モード維持情報を送信する段階をさらに含むことを特徴とする、請求項１０に記載の遊休モードの動作のためのデータの送受信方法。
【請求項１２】
前記少なくとも一つのネットワークエンティティは、少なくとも 一つの基地局であることを特徴とする、請求項１１に記載の遊休モードの動作のためのデータの送受信方法。
【請求項１３】
前記登録解除要請（ＤＲＥＧ−ＲＥＱ）は、前記移動端末が正常 モードを終了し、遊休モードに進入することを要請 するメッ セージであることを特徴とする、請求項１に記載の遊休モードの動作のためのデータの送受信方法。
【請求項１４】
前記選択された遊休モード維持情報は、前記ネットワークエン ティティにより選択された遊休モード維持情報を含むことを特徴とする、請求項１に記載の遊休モードの動作のためのデータの送受信方法。
【請求項１５】
前記選択された遊休モード維持情報は、前記移動端末及び前記 ネットワークエンティティのうち少なくともいずれか一つにより維持された、目録からなるセッション情報を含むことを特徴とする、請求項１４に記載の遊休モードの動作のためのデータの送受信方法。
【請求項１６】
遊休モードの動作のためのデータの送受 信方法であって、
移動端末（ＭＳＳ）から、登録解除要請（ＤＲＥＧ−ＲＥＱ）を 介して、ネットワーク
エンティティが遊休モード維持情報を維持するこ とを要請するメッセージを受信する段階と、
登録解除命令（ＤＲＥＧ−ＣＭＤ）を介して、選択された遊休 モード維持情報を前記移動端末に送信する段階と、
を含む、遊休モードの動作のためのデータの送受信方法。
【請求項１７】
ネットワークエンティティが、前記遊休モード維持情報が指し示 す情報を維持する段階と、
前記ネットワークエンティティが維持する情報に基づいて前記移 動端末のネットワーク再進入を行う段階と、
をさらに含むことを特徴とする、請求項１６に記載の遊休モードの 動作のためのデータの送受信方法。
【請求項１８】
遊休モード維持情報によって維持された前記移動端末に関する情 報は、
端末の能力に関する情報、認証情報、 ＩＰアドレス情報を含むネットワークアドレスに関する情報及びネットワークサービスに必要な情報を含むことを特徴とする、請求項１６に記載の遊休モードの動作のためのデータの送受信方法。
【請求項１９】
前記遊休モード維持情報の０番目のビット（Ｂｉｔ  ＃０）は、 前記端末の基本的システム能力に関する情報の維持を要請するか否かを表示し、
前記遊休モード維持情報の１番目のビット（Ｂｉｔ  ＃１）は、 認証情報の維持を要請するか否かを表示し、
前記遊休モード維持情報の２番目のビット（Ｂｉｔ  ＃２）は、 前記端末の登録時に要請される能力に関する情報の維持を要請するか否かを表示し、
前記遊休モード維持情報の３番目のビット（Ｂｉｔ  ＃３）は、 ネットワークアドレスに関する情報の維持を要請するか否かを表示すること
を特徴とする、請求項１６に記載の遊休モードの動作のためのデー タの送受信方法。
【請求項２０】
前記０番目のビットは、基本性能要請／応答（ＳＢＣ− ＲＥＱ／ＲＳＰ）メッセージに関する情報の維持を要請するか否かを表示し、
前記１番目のビットは、個人キー管理要請／応答（ＰＫＭ− ＲＥＱ／ＲＳＰ）メッセージに関する情報の維持を要請するか否かを表示し、
前記２番目のビットは、登録要請／応答（ＲＥＧ− ＲＥＱ／ＲＳＰ）メッセージに関する情報の維持を要請するか否かを表示すること
を特徴とする、請求項１９に記載の遊休モードの動作のためのデー タの送受信方法。
【請求項２１】
前記遊休モード維持情報は、ネットワークサービスに必要な情報 の維持を要請するか否かを表示する一つのビットを含むことを特徴とする、請求項１６に記載の遊休モードの動作のためのデータの送受信方法。
【請求項２２】
前記ネットワークエンティティは、前記移動端末が遊休モードに 進入するために探索する基地局であることを特徴とする、請求項１６に記載の遊休モードの動作のためのデータの送受信方法。
【請求項２３】
前記ネットワークエンティティは、サービング基地局であること を特徴とする、請求項１６に記載の遊休モードの動作のためのデータの送受信方法。
【請求項２４】
前記サービング基地局は、前記選択された遊休モード維持情報 を、ページンググループに属した少なくとも一つの基地局またはページング制御器に送信することを特徴とする、請求項２３に記載の遊休モードの動作のためのデータの送受信方法。
【請求項２５】
前記ネットワークエンティティは、ページング制御器 であることを特徴とする、請求項１６に記載の遊休モードの動作のためのデータの送受信方法。
【請求項２６】
前記ページング制御器は、特定のページンググループ内にある少 なくとも一つのネットワークエンティティに、前記選択された遊休モード維持情報を送信する段階をさらに含むことを特徴とする、請求項２５に記載の遊休モードの動作のためのデータの送受信方法。
【請求項２７】
前記少なくとも一つのネットワークエンティティは、少なくとも 一つの基地局であることを特徴とする、請求項２６に記載の遊休モードの動作のためのデータの送受信方法。
【請求項２８】
前記登録解除要請（ＤＲＥＧ−ＲＥＱ）は、前記移動端末が正常 モードを終了し、遊休モードに進入することを要請 するメッ セージであることを特徴とする、請求項１６に記載の遊休モードの動作のためのデータの送受信方法。
【請求項２９】
前記選択された遊休モード維持情報は、前記ネットワークエン ティティにより選択された遊休モード維持情報を含むことを特徴とする、請求項１６に記載の遊休モードの動作のためのデータの送受信方法。
【請求項３０】
前記選択された遊休モード維持情報は、前記移動端末及び前記 ネットワークエンティティのうち少なくともいずれか一つにより維持された、目録からなるセッション情報を含むことを特徴とする、請求項２９に記載の遊休モードの動作のためのデータの送受信方法。